(57)【要約】      （修正有）【課題】比較的簡易な構造で、景品獲得から景品が排出されるまでの間においても、利用者を楽しませることができる景品獲得装置を提供する。【解決手段】一方の端部から景品排出口１８ａの上方に配置された他方の端部まで、景品収納部内１０を湾曲しながら景品を誘導する１又は複数の景品誘導レール１１と、景品収納部内に設けられ、先端に貫通棒が取り付けられた発進開始手段１３と、利用者の操作に基づいて、発進開始手段を景品収納部内で所望位置に移動させる発進開始部駆動機構１４と、１又は複数の景品誘導レールの一方の端部側に配置され、貫通棒が当該発進手段に設けられた貫通穴を貫通したときに、景品誘導レール上に停止状態で配置された景品を走行させる１又は複数の発進手段とを備える。【選択図】図１
0003146169.tif 000002
【実用新案登録請求の範囲】
【請求項１】
利用者の操作に基づいて、三方を透明板で囲まれた景品収納部に配置された景品を、景品排出口から前記景品収納部外へ排出する景品獲得装置であって、
一方の端部から前記景品排出口の上方に配置された他方の端部まで、前記景品収納部内を湾曲しながら前記景品を誘導する１以上の景品誘導レールと、
前記景品収納部内に設けられ、先端に貫通棒が取り付けられた発進開始手段と、
前記利用者の操作に基づいて、前記発進開始手段を前記景品収納部内で所望位置に移動させる発進開始部駆動機構と、
前記１以上の景品誘導レールの一方の端部側に配置され、前記貫通棒が当該発進手段に設けられた貫通穴を貫通したときに、前記景品誘導レール上に停止状態で配置された前記景品を発進させる１以上の発進手段と、
を備えることを特徴とする景品獲得装置。
【請求項２】
前記１以上の発進手段のそれぞれは、
異なる大きさの前記貫通穴を有する
ことを特徴とする請求項１記載の景品獲得装置。
【請求項３】
前記１以上の発進手段のそれぞれは、
大きさが異なる多角形の前記貫通穴を有し、
前記発進開始手段は、
断面が前記多角形である前記貫通棒を有し、前記利用者の操作に基づいて、前記貫通棒を前記断面の中心を回転軸として回転させるようにした
ことを特徴とする請求項１記載の景品獲得装置。
【請求項４】
前記景品は、
球形状であることを特徴とする請求項１〜３のうちいずれか１項記載の景品獲得装置。
【請求項５】
前記景品は、
模擬車両であることを特徴とする請求項１〜３のうちいずれか１項記載の景品獲得装置。
【請求項６】
前記１以上の発進手段は、
前記貫通穴を有する貫通板と、
一方の端部が前記貫通板の下部に位置するように支持軸により支持されると共に、前記貫通穴を貫通した前記貫通棒により一方の端部が下方に押下された場合に、前記支持軸を中心に回転して他方の端部を上方に押し上げることにより、前記景品を発進させる回転板と、
を有することを特徴とする請求項１〜５のうちいずれか１項記載の景品獲得装置。
【請求項７】
前記１以上の発進手段は、
前記貫通穴を有する貫通板と、
前記貫通板の下部に配置され、前記貫通棒が前記貫通穴を貫通したことを検出する検出手段と、
前記検出手段により前記貫通棒が前記貫通穴を貫通したことが検出された場合に、前記景品誘導レール上における前記景品の下流側に、前記景品誘導レールの下部から上部へ突き出した発進止め部を前記景品誘導レールの下部へ引き込む発進止め制御手段と、
を有することを特徴とする請求項１〜５のうちいずれか１項記載の景品獲得装置。
【請求項８】
前記１以上の景品誘導レール上にそれぞれ配置され、前記１以上の景品誘導レール上を走行する前記景品をそれぞれ検出する１以上の景品検出手段と、
前記１以上の景品検出手段により前記景品が検出された場合に、音声出力手段に所定の音声を発生させる音声出力制御手段と、
を備えることを特徴とする請求項１〜７のうちいずれか１項記載の景品獲得装置。
【請求項９】
前記１以上の景品誘導レール上にそれぞれ配置され、前記１以上の景品誘導レール上を走行する前記景品をそれぞれ検出する１又は複数の景品検出手段と、
前記１以上の景品検出手段により前記景品が検出された場合に、発光手段に発光させる発光制御手段と、
を備えることを特徴とする請求項１〜７のうちいずれか１項記載の景品獲得装置。
【請求項１０】
前記１以上の景品誘導レール上にそれぞれ配置され、前記１以上の景品誘導レール上を走行する前記景品をそれぞれ検出する１以上の景品検出手段と、
前記１以上の景品誘導レール上に、前記１以上の景品検出手段にそれぞれ対応して配置され、前記景品を通過させる、又は前記景品の走行を妨げるために開閉する１以上の景品走行ゲートと、
前記１以上の景品検出手段により前記景品が検出された場合に、前記１以上の景品走行ゲートのうち、前記検出した景品検出手段に対応する前記景品走行ゲートを開させるゲート制御手段と、
を備えることを特徴とする請求項１〜７のうちいずれか１項記載の景品獲得装置。
【請求項１１】
前記１以上の景品誘導レール上に、前記１以上の発進手段にそれぞれ対応して配置され、前記景品を通過させる、又は前記景品の走行を妨げるために開閉する１以上の景品走行ゲートと、
前記１以上の発進手段のうち、いずれか１つが有する前記検出手段により前記貫通棒が前記貫通穴を貫通したことが検出された場合に、前記１以上の発進手段の全てに前記景品を発進させると共に、前記１以上の発進手段のうち、前記貫通棒が前記貫通穴を貫通したことを検出した検出手段を有する発進手段に対応する前記景品走行ゲートを開させるゲート制御手段と、
を備えることを特徴とする請求項７記載の景品獲得装置。
【請求項１２】
前記１以上の景品誘導レール上に、前記１以上の発進手段にそれぞれ対応して配置され、前記１以上の景品誘導レール上を走行する前記景品をそれぞれ検出する１以上の景品検出手段と、
前記１以上の景品誘導レール上に、前記１以上の景品検出手段にそれぞれ対応して配置され、前記景品を通過させる、又は前記景品の走行を妨げるために開閉する１以上の景品走行ゲートと、
前記１以上の発進手段のうち、いずれか１つが有する前記検出手段により前記貫通棒が前記貫通穴を貫通したことが検出された場合に、前記１以上の発進手段の全てに前記景品を発進させると共に、前記１以上の景品検出手段のうち、前記貫通棒が前記貫通穴を貫通したことを検出した検出手段を有する発進手段に対応する景品検出手段が最も早く前記景品を検出した場合に、この景品検出手段に対応する前記景品走行ゲートを開させるゲート制御手段と、
を備えることを特徴とする請求項７記載の景品獲得装置。
【考案の詳細な説明】
【技術分野】
【０００１】
本考案は、遊技者の操作に基づいて、遊技空間内に配置された景品を景品排出口から排出する景品獲得装置に関する。
【背景技術】
【０００２】
昨今、ゲームセンター等の遊技施設には、例えば、特許文献１に記載されたようなクレーン遊技装置が設置されることが多い。
【０００３】
このような一般的なクレーン遊技装置は、三方を透明板で囲まれた景品収納部と、この景品収納部内に設けられた景品把持部と、この景品把持部を景品収納部内で所望位置に移動させるクレーン駆動機構と、景品収納部内に開口した景品排出口とを備えている。
【０００４】
この一般的なクレーン遊技装置において、利用者は、操作部の操作釦を操作することにより獲得しようとする景品に対してクレーン駆動機構を動作させて景品把持部が目標とする景品の真上に到着したと思われるとき操作釦の操作を停止させる。
【０００５】
その後、景品把持部は自動的に降下し、ケース底部に到着し、景品把持部が閉じて降下位置の景品を把持すると景品獲得成功となる。
【０００６】
景品獲得後、景品把持部は景品を把持したまま上昇して景品排出口の上方に移動した後、景品把持部を開いて景品を景品排出口へ落とし、この景品排出口に連通された景品受取口から景品が払い出される。
【０００７】
また、特許文献２には、遊戯空間内部に、表面に穴が複数設けられた標的手段配置面３が備えられ、遊戯者による操作手段の操作によって、遊戯手段が伸縮することで、穴を首尾よく通過すれば、景品獲得成功となり、景品を載置した景品載置板の支持が解除され、景品が落下し、景品払出口から遊戯者に景品が払い出される景品獲得ゲーム機が提案されている。
【０００８】
さらに、特許文献３には、景品収納部から、景品収納部上部に吊設された吸着部により景品を係止して取り出し、景品が取り出し口まで直線的に滑り落ちるように形成された送出部に、係止した景品を落下させると、景品獲得成功となり、これにより景品を本体外部に取り出す娯楽機が提案されている。
【特許文献１】特開２０００−８４２３６号公報
【特許文献２】特開２００８−１７８４２８号公報
【特許文献３】実開平６−３４６８６号公報
【考案の開示】
【考案が解決しようとする課題】
【０００９】
しかしながら、特許文献１に記載のクレーン遊技装置では、景品は様々な形状を有しており、景品把持部により把持されたときの景品の向きも様々であるので、確実に景品を景品排出口に投入させるためには、景品を景品排出口上から落下させるしかなかった。
【００１０】
そのため、特許文献１に記載のクレーン遊技装置では、利用者が見ることができる景品の移動する軌跡は、景品把持部に把持された位置から景品排出口までの間となり、非常に単調なもので、利用者が景品を取得するまでの時間も非常に短くなる。このように、特許文献１に記載のクレーン遊技装置では、景品獲得成功から景品が払い出されるまでの間、何ら演出がなされていないので、利用者は、味気無く感じ、もうすぐ景品を取得することができるという期待感を得ることが困難であった。
【００１１】
また、特許文献２に記載の景品獲得ゲーム機では、景品獲得が成功すると、景品を載置した景品載置板の支持が解除され、景品が落下し、景品払出口から遊戯者に景品が払い出されるので、特許文献１に記載のクレーン遊技装置と同様、景品を取得するまでの間に、景品を取得することができるという期待感を得ることが困難であった。また、特許文献２に記載の景品獲得ゲーム機では、遊戯手段が伸縮することにより、穴を通過させるので、装置構造が複雑になっていた。
【００１２】
さらに、特許文献３に記載の娯楽機では、係止した景品が送出部に落下させると、景品が取り出し口まで直線的に滑り落ち、本体外部に取り出されるので、吸着部により景品を係止してから景品排出口までの間に景品が移動する軌跡は直線的であり、非常に単調なもので、景品を取得するまでの時間も非常に短くなる。そのため、特許文献１に記載のクレーン遊技装置と同様、景品を取得するまでの間に、景品を取得することができるという期待感を得ることが困難であった。
【００１３】
本考案は、上記課題に鑑みてなされたものであり、景品獲得から景品が排出されるまでの間においても、利用者を楽しませることができる景品獲得装置を提供することを目的とする。
【課題を解決するための手段】
【００１４】
上記目的を達成するため、本考案に係る景品獲得装置の第１の特徴は、利用者の操作に基づいて、三方を透明板で囲まれた景品収納部に配置された景品を、景品排出口から前記景品収納部外へ排出する景品獲得装置であって、一方の端部から前記景品排出口の上方に配置された他方の端部まで、前記景品収納部内を湾曲しながら前記景品を誘導する１以上の景品誘導レールと、前記景品収納部内に設けられ、先端に貫通棒が取り付けられた発進開始手段と、前記利用者の操作に基づいて、前記発進開始手段を前記景品収納部内で所望位置に移動させる発進開始部駆動機構と、前記１以上の景品誘導レールの一方の端部側に配置され、前記貫通棒が当該発進手段に設けられた貫通穴を貫通したときに、前記景品誘導レール上に停止状態で配置された前記景品を発進させる１以上の発進手段とを備えることにある。
【００１５】
上記目的を達成するため、本考案に係る景品獲得装置の第２の特徴は、前記１以上の発進手段のそれぞれは、異なる大きさの前記貫通穴を有することにある。
【００１６】
上記目的を達成するため、本考案に係る景品獲得装置の第３の特徴は、前記１以上の発進手段のそれぞれは、大きさが異なる多角形の前記貫通穴を有し、前記発進開始手段は、
断面が前記多角形である前記貫通棒を有し、前記利用者の操作に基づいて、前記貫通棒を前記断面の中心を回転軸として回転させるようにしたことにある。
【００１７】
上記目的を達成するため、本考案に係る景品獲得装置の第４の特徴は、前記景品は、球形状であることにある。
【００１８】
上記目的を達成するため、本考案に係る景品獲得装置の第５の特徴は、前記景品は、模擬車両であることにある。
【００１９】
上記目的を達成するため、本考案に係る景品獲得装置の第６の特徴は、前記１以上の発進手段は、前記貫通穴を有する貫通板と、一方の端部が前記貫通板の下部に位置するように支持軸により支持されると共に、前記貫通穴を貫通した前記貫通棒により一方の端部が下方に押下された場合に、前記支持軸を中心に回転して他方の端部を上方に押し上げることにより、前記景品を発進させる回転板とを有することにある。
【００２０】
上記目的を達成するため、本考案に係る景品獲得装置の第７の特徴は、前記１以上の発進手段は、前記貫通穴を有する貫通板と、前記貫通板の下部に配置され、前記貫通棒が前記貫通穴を貫通したことを検出する検出手段と、前記検出手段により前記貫通棒が前記貫通穴を貫通したことが検出された場合に、前記景品誘導レール上における前記景品の下流側に、前記景品誘導レールの下部から上部へ突き出した発進止め部を前記景品誘導レールの下部へ引き込む発進止め制御手段とを有することにある。
【００２１】
上記目的を達成するため、本考案に係る景品獲得装置の第８の特徴は、前記１以上の景品誘導レール上にそれぞれ配置され、前記１以上の景品誘導レール上を走行する前記景品をそれぞれ検出する１以上の景品検出手段と、前記１以上の景品検出手段により前記景品が検出された場合に、音声出力手段に所定の音声を発生させる音声出力制御手段とを備えることにある。
【００２２】
上記目的を達成するため、本考案に係る景品獲得装置の第９の特徴は、前記１以上の景品誘導レール上にそれぞれ配置され、前記１以上の景品誘導レール上を走行する前記景品をそれぞれ検出する１又は複数の景品検出手段と、前記１以上の景品検出手段により前記景品が検出された場合に、発光手段に発光させる発光制御手段とを備えることにある。
【００２３】
上記目的を達成するため、本考案に係る景品獲得装置の第１０の特徴は、前記１以上の景品誘導レール上にそれぞれ配置され、前記１以上の景品誘導レール上を走行する前記景品をそれぞれ検出する１以上の景品検出手段と、前記１以上の景品誘導レール上に、前記１以上の景品検出手段にそれぞれ対応して配置され、前記景品を通過させる、又は前記景品の走行を妨げるために開閉する１以上の景品走行ゲートと、前記１以上の景品検出手段により前記景品が検出された場合に、前記１以上の景品走行ゲートのうち、前記検出した景品検出手段に対応する前記景品走行ゲートを開させるゲート制御手段とを備えることにある。
【００２４】
上記目的を達成するため、本考案に係る景品獲得装置の第１１の特徴は、前記１以上の景品誘導レール上に、前記１以上の発進手段にそれぞれ対応して配置され、前記景品を通過させる、又は前記景品の走行を妨げるために開閉する１以上の景品走行ゲートと、前記１以上の発進手段のうち、いずれか１つが有する前記検出手段により前記貫通棒が前記貫通穴を貫通したことが検出された場合に、前記１以上の発進手段の全てに前記景品を発進させると共に、前記１以上の発進手段のうち、前記貫通棒が前記貫通穴を貫通したことを検出した検出手段を有する発進手段に対応する前記景品走行ゲートを開させるゲート制御手段とを備えることにある。
【００２５】
上記目的を達成するため、本考案に係る景品獲得装置の第１２の特徴は、前記１以上の景品誘導レール上に、前記１以上の発進手段にそれぞれ対応して配置され、前記１以上の景品誘導レール上を走行する前記景品をそれぞれ検出する１以上の景品検出手段と、前記１以上の景品誘導レール上に、前記１以上の景品検出手段にそれぞれ対応して配置され、前記景品を通過させる、又は前記景品の走行を妨げるために開閉する１以上の景品走行ゲートと、前記１以上の発進手段のうち、いずれか１つが有する前記検出手段により前記貫通棒が前記貫通穴を貫通したことが検出された場合に、前記１以上の発進手段の全てに前記景品を発進させると共に、前記１以上の景品検出手段のうち、前記貫通棒が前記貫通穴を貫通したことを検出した検出手段を有する発進手段に対応する景品検出手段が最も早く前記景品を検出した場合に、この景品検出手段に対応する前記景品走行ゲートを開させるゲート制御手段とを備えることにある。
【考案の効果】
【００２６】
本考案に係る景品獲得装置によれば、簡易な構造で、景品獲得から景品が排出されるまでの間においても、利用者を楽しませることができる。
【考案を実施するための最良の形態】
【００２７】
以下、本考案を実施するための最良の形態について図面を参照して説明する。
【実施例１】
【００２８】
本考案の実施例１では、利用者の操作に基づいて、景品収納部に配置された球形の景品を、景品排出口から景品収納部外へ排出する景品獲得装置を例に挙げて説明する。
【００２９】
図１は、本考案の実施例１である景品獲得装置の斜視図である。
【００３０】
図１に示すように、景品獲得装置１は、三方を透明板で囲まれた景品収納部１０と、景品収納部１０内の底面に備えられた景品誘導レール１１と、景品収納部１０内に設けられた発進開始部１２，１３と、この発進開始部１２，１３を景品収納部１０内で所望位置に移動させる発進開始部駆動機構１４と、景品誘導レール１１の上流側一端の近傍に設けられた発進部１５、１６，１７と、景品排出口１８ａ，１８ｂとを備えている。
【００３１】
景品誘導レール１１は、一方の端部から景品排出口１８ａ，１８ｂのいずれか一方の上方に配置された他方の端部まで、景品収納部１０内を湾曲しながら景品を誘導する。
【００３２】
ここで、景品は、例えば、透明のプラスティックで加工された内部が空洞の球形状を有しており、この球形状の内部に玩具や菓子等が収納されたものである。
【００３３】
景品収納部１０の下方には、景品獲得装置１内部の景品排出口１８ａ，１８ｂからそれぞれ連通する景品受取口１９ａ，１９ｂと、操作釦やコイン投入口等を有する操作部２０とが設けられている。
【００３４】
発進開始部駆動機構１４は、発進開始部１２，１３を吊り下げ支持すると共に、操作部２０から供給される操作信号に基づいて前後，左右，及び上下の３方向に移動させる。
【００３５】
図２は、本考案の実施例１である景品獲得装置１を構成する景品誘導レール１１部分の構成を示した平面図である。なお、図２では、説明のため、発進開始部１２，１３等は省略してある。
【００３６】
図２に示すように、景品獲得装置１は、３つの発進部１５，１６，１７と、この３つの発進部１５，１６，１７から景品排出口１８ａ，１８ｂのいずれか一方まで、景品収納部１０内を湾曲しながら景品Ａ，Ｂ，Ｃそれぞれを誘導する景品誘導レール１１が配置されている。具体的には、景品誘導レール１１は、発進部１５から景品排出口１８ｂまで景品収納部１０内を湾曲しながら景品Ａを誘導する景品誘導レール１１ａと、発進部１６から景品排出口１８ｂまで景品収納部１０内を湾曲しながら景品Ｂを誘導する景品誘導レール１１ｂと、発進部１７から景品排出口１８ａまで景品収納部１０内を湾曲しながら景品Ｃを誘導する景品誘導レール１１ｃとを備えている。
【００３７】
そして、利用者の操作に基づいて、後述する発進開始部１２の先端に設けられた貫通棒が、発進部１７の貫通板１７ａに設けられた貫通穴１７ｂを貫通した場合に、景品誘導レール１１ｃ上に停止状態で配置された景品Ｃが走行し始める。そして、景品Ｃは、湾曲した景品誘導レール１１ｃ上を走行して、景品排出口１８ａへ落下する。同様に、利用者の操作に基づいて、発進開始部１３の先端に設けられた貫通棒が、発進部１５，１６の貫通板１５ａ，１６ａに設けられた貫通穴１５ｂ，１６ｂを貫通したときに、景品誘導レール１１ａ，１１ｂ上に停止状態で配置された景品Ａ，Ｂが走行し始める。そして、景品Ａ，Ｂは、湾曲した景品誘導レール１１ａ，１１ｂ上を走行して、景品排出口１８ｂへ落下する。なお、貫通穴１５ｂ，１６ｂ，１７ｂの大きさは、それぞれ異なっている。
【００３８】
図３は、本考案の実施例１である景品獲得装置１に備えられた発進開始部１３を下方から見た射視図である。なお、発進開始部１２は、発進開始部１３と同一の構成を有するので、説明を省略する。
【００３９】
図３に示すように、発進開始部１３は、本体部１３ａと、この本体部１３ａに支持された貫通棒１３ｂとを備えている。
【００４０】
発進開始部１３は、本体部１３ａを上下方向に移動することにより、この本体部１３ａに支持された貫通棒１３ｂも上下方向に移動し、これにより、貫通棒１３ｂを発進部１５の貫通板１５ａに設けられた貫通穴１５ｂに貫通させることができる。
【００４１】
図４は、本考案の実施例１である景品獲得装置１に備えられた発進部１５の射視図である。なお、発進部１６，１７は、貫通穴１６ｂ，１７ｂの大きさ以外は、発進部１５の構成と同一であるので、説明を省略する。
【００４２】
図４に示すように、景品収納部１０の底面に固定された側面板１５ｃの上部に貫通板１５ａが配置されており、この貫通板１５ａは、中央部に円形の貫通穴１５ｂを有している。
【００４３】
また、平板形状を有する回転板１５ｄが、一方の端部が貫通板１５ａの下部に位置するように支持軸１５ｅに支持されており、回転板１５ｄは、この支持軸１５ｅを回転軸としてＲ方向に回転する。回転板１５ｄの他方の端部側の上面には、突起部１５ｆが設けられている。
【００４４】
また、景品誘導レール１１ａの上流側端部は、回転板１５ｄの他方の端部の上方に位置するように固定され、景品誘導レール１１ａの上流側端部の底面には、回転板１５ｄがＲ方向に回転した場合に、回転板１５ｄに設けられた突起部１５ｆが貫通する位置に停止穴１１ｐが設けられている。球形状を有する景品Ａは、この停止穴１１ｐ上に静置されることにより、景品Ａは景品誘導レール１１ａ上で停止状態を保つことができる。
【００４５】
次に、本考案の実施例１である景品獲得装置１の作用について説明する。
【００４６】
図５は、本考案の実施例１である景品獲得装置１の作用について模式的に説明した図である。なお、景品獲得装置１は、景品誘導レール１１上に景品Ａ〜Ｃを配置しており、発進開始部１２の動作により、景品獲得装置１の左側部分に配置されている景品Ｃを獲得することができ、発進開始部１３の動作により、景品獲得装置１の右側部分に配置されている景品Ａ，Ｂを獲得することができる。
【００４７】
本考案の実施例１では、一例として、景品獲得装置１の右側部分に配置されている景品Ａを獲得する場合における作用について説明する。
【００４８】
利用者は、操作部２０の操作釦を操作することにより獲得しようとする景品Ａに対して発進開始部駆動機構１４を動作させて、発進開始部１３が目標とする景品Ａに対応する発進部１５の真上に到着したと思われるとき操作釦の操作を停止させる。
【００４９】
その後、発進開始部１３は自動的に降下する。このとき、上面方向から見たときに、この発進開始部１３の本体部１３ａに固定された貫通棒１３ｂが、発進部１５の貫通板１５ａに設けられた貫通穴１５ｂの真上で停止していた場合には、貫通棒１３ｂは貫通穴１５ｂを貫通する。一方、貫通棒１３ｂが貫通穴１５ｂから外れた位置で停止していた場合には、貫通棒１３ｂは貫通穴１５ｂを貫通することなく、貫通板１５ａに接触し、発進開始部１３は自動的に上昇する。
【００５０】
貫通棒１３ｂが貫通穴１５ｂを貫通すると、貫通棒１３ｂは、貫通板１５ａの直下に配置されている回転板１５ｄの一方の端部を押し下げる。そして、押し下げられた回転板１５ｄは、支持軸１５ｅを回転軸として、Ｒ方向に回転し、これにより景品誘導レール１１ａの下方に配置されている回転板１５ｄの他方の端部は、Ｓ方向に押し上げられる。
【００５１】
そして、Ｓ方向に押し上げられた回転板１５ｄの他方の端部の上面に設けられた突起部１５ｆが、景品誘導レール１１ａに設けられた停止穴１１ｐを貫通し、景品誘導レール１１ａ上で停止状態を保っている景品Ａを押し上げる。
【００５２】
これにより、景品Ａは、傾斜した景品誘導レール１１ａ上をＴ方向に向かって走行し始める。
【００５３】
そして、景品Ａは、景品収納部１０内で湾曲した景品誘導レール１１ａ上を走行した後、景品排出口１８ｂへ落とされ、景品排出口１８ｂに落とされた景品は、この景品排出口１８ｂに連通された景品受取口１９ｂから払い出される。
【００５４】
以上のように、本考案の実施例１である景品獲得装置１によれば、景品獲得に成功した後、景品Ａは、景品排出口１８ｂ上部まで景品収納部１０内を湾曲しながら景品を誘導する景品誘導レール１１ａ上を走行した後に、景品受取口１９ｂから払い出されるので、利用者は、景品を取得するまでの間、景品誘導レール１１ａ上を走行している景品Ａの鑑賞して楽しむことができ、これによりもうすぐ景品を取得することができるという期待感を得ることができる。
【００５５】
また、本考案の実施例１である景品獲得装置１によれば、従来技術であるクレーン遊技装置の景品把持部のアーム部を取り外し、景品把持部の下部に貫通棒１３ｂを取り付けることによって、発進開始部１３を構成することができる。そのため、新たに駆動装置を開発及び制作する必要がなく、簡易に発進開始部１３を構成することができるので、開発及び製造費用の削減に寄与することができる。
【００５６】
なお、本考案の実施例１である景品獲得装置１では、一例として、景品Ａを獲得する場合における作用について説明したが、景品Ｂ，Ｃを獲得する場合についても同様である。ただし、上述したように、貫通穴１５ｂ，１６ｂ，１７ｂの大きさは、それぞれ異なっているので、利用者にとって、貫通棒を貫通穴１５ｂ，１６ｂ，１７ｂに貫通させる操作を行う上での難易度がそれぞれ異なっている。
【００５７】
これにより、利用者は、景品の嗜好と自身の熟練度とに応じて、景品Ａ〜Ｃのうち所望の景品に対応する発進部１５，１６，１７を選び、景品獲得ゲームを楽しむことができるので、よりゲーム性が高く、利用者が飽き難いという効果を得ることができる。
【００５８】
また、本考案の実施例１である景品獲得装置１では、景品収納部１０に配置された３つの球形の景品Ａ，Ｂ，Ｃを、景品排出口１８ａ，１８ｂから景品収納部１０外へ排出する景品獲得装置１を例に挙げて説明したが、景品の数は、３つに限らず、景品の数に応じて、発進部と、景品誘導レールとを備える構成にすることができる。
【実施例２】
【００５９】
本考案の実施例１では、円形の貫通穴１５ｂ，１６ｂ，１７ｂがそれぞれ設けられた貫通板１５ａ，１６ａ，１７ａを有する３つの発進部１５，１６，１７を備えた景品獲得装置１を例に挙げて説明したが、これに限らず、発進部は、多角形の貫通穴が設けられた貫通板を有する構成としてもよい。
【００６０】
本考案の実施例２では、多角形の貫通穴が設けられた貫通板を有する３つの発進部と、断面が多角形の貫通棒を有する発進開始部とを備えた景品獲得装置１Ａを例に挙げて説明する。
【００６１】
本考案の実施例２である景品獲得装置１Ａは、景品収納部１０と、景品誘導レール１１と、発進開始部１２Ａ，１３Ａと、発進開始部駆動機構１４と、３つの発進部１５Ａ，１６Ａ，１７Ａと、景品排出口１８ａ，１８ｂと、景品受取口１９ａ，１９ｂと、操作部２０Ａとを備えている。
【００６２】
ここで、本考案の実施例２である景品獲得装置１Ａが備える構成のうち、景品収納部１０と、景品誘導レール１１と、発進開始部駆動機構１４と、景品排出口１８ａ，１８ｂと、景品受取口１９ａ，１９ｂとは、本考案の実施例１である景品獲得装置１が備えるそれぞれ同一符号が付された構成と同一であるので、説明を省略する。
【００６３】
図６は、本考案の実施例２である景品獲得装置１Ａに備えられた発進開始部１３Ａの射視図である。なお、発進開始部１２Ａは、発進開始部１３Ａと同一の構成を有するので、説明を省略する。
【００６４】
図６に示すように、発進開始部１３Ａは、本体部１３ａと、この本体部１３ａに支持された貫通棒１３ｃとを備えており、貫通棒１３ｃの断面は、星形の形状を有している。
【００６５】
発進開始部１３Ａは、操作部２０Ａから供給される操作信号に基づいて発進開始部駆動機構１４が駆動することにより、本体部１３ａを上下方向に移動し、これにより、この本体部１３ａに支持された貫通棒１３ｃも上下方向に移動する。さらに、操作部２０Ａから供給される操作信号に基づいて、本体部１３ａに内蔵された駆動機構（図示しない）が駆動することにより、本体部１３ａに支持された貫通棒１３ｃが断面の中心を回転軸として回転する。
【００６６】
図７は、本考案の実施例２である景品獲得装置１Ａに備えられた発進部１５Ａの射視図である。なお、発進部１５Ａ，１６Ａ，１７Ａに備える貫通板に設けられた貫通穴の大きさは、それぞれ異なるが、発進部１６Ａ，１７Ａは、貫通穴の大きさ以外は、発進部１５Ａの構成と同一であるので、説明を省略する。
【００６７】
図７に示すように、景品収納部１０の底面に固定された側面板１５ｃの上部に貫通板１５ｇが配置されており、この貫通板１５ｇは、中央部に星形の貫通穴１５ｈを有している。
【００６８】
ここで、本考案の実施例２である景品獲得装置１Ａの発進部１５Ａが備える構成のうち、貫通板１５ｇ、及び貫通穴１５ｈ以外の構成については、本考案の実施例１である景品獲得装置１の発進部１５が備えるそれぞれ同一符号が付された構成と同一であるので、説明を省略する。
【００６９】
次に、図６及び図７を参照して、本考案の実施例２である景品獲得装置１Ａの作用について説明する。なお、景品獲得装置１Ａは、景品誘導レール１１上に景品Ａ〜Ｃを配置しているが、一例として、景品獲得装置１Ａの右側部分に配置されている景品Ａを獲得する場合における作用について説明する。
【００７０】
利用者は、操作部２０Ａの操作釦を操作することにより、獲得しようとする景品Ａに対して発進開始部駆動機構１４を動作させて、発進開始部１３Ａが目標とする景品Ａに対応する発進部１５Ａの真上に到着したと思われるとき操作釦の操作を停止させる。
【００７１】
そして、利用者は、操作部２０Ａの操作釦を操作することにより、発進開始部１３Ａの貫通棒１３ｃを、断面の中心を回転軸として回転させ、貫通棒１３ｃの星形状の向きと、発進部１５Ａの貫通板１５ｇに設けられた貫通穴１５ｈの星形状との向きとが一致したと思われるとき操作釦の操作を停止させる。
【００７２】
その後、発進開始部１３Ａは自動的に降下する。このとき、上面方向から見たときに、この発進開始部１３Ａの本体部１３ａに固定された貫通棒１３ｃが、発進部１５Ａの貫通板１５ｇに設けられた貫通穴１５ｈの真上で停止しており、かつ貫通棒１３ｃの星形状の向きと貫通穴１５ｈの星形状の向きとが一致している場合には、貫通棒１３ｃは貫通穴１５ｈを貫通する。一方、貫通棒１３ｃが貫通穴１５ｈから外れた位置で停止していた場合、又は貫通棒１３ｃの星形状の向きと貫通穴１５ｈの星形状の向きとが一致していない場合には、貫通棒１３ｃは貫通穴１５ｈを貫通することなく、貫通板１５ｇに接触し、発進開始部１３Ａは自動的に上昇する。
【００７３】
貫通棒１３ｃが貫通穴１５ｈを貫通すると、以降の作用は、本考案の実施例１である景品獲得装置１の作用と同一であるので、説明を省略する。
【００７４】
以上のように、本考案の実施例２である景品獲得装置１Ａによれば、利用者は、操作部２０Ａの操作釦を操作することにより、貫通棒１３ｃの星形状の向きと、発進部１５Ａの貫通板１５ｇに設けられた貫通穴１５ｈの星形状の向きとを一致させる必要があるので、本考案の実施例１である景品獲得装置１により奏する効果に加え、利用者にとって、よりゲーム性が高くなるという効果を奏することができる。
【実施例３】
【００７５】
本考案の実施例１では、景品誘導レール１１上に停止状態で配置された球形状の景品を走行させる３つの発進部１５，１６，１７を備える構成としたが、これに限らず、景品誘導レール上に停止状態で配置された模擬車両の形状を有する景品を走行させる３つの発進部を備える構成としてもよい。
【００７６】
本考案の実施例３では、景品誘導レール上に停止状態で配置された模擬車両の形状を有する景品を走行させる３つの発進部を備えた景品獲得装置１Ｂを例に挙げて説明する。
【００７７】
本考案の実施例３である景品獲得装置１Ｂは、景品収納部１０と、景品誘導レール１１と、発進開始部１２，１３と、発進開始部駆動機構１４と、３つの発進部１５Ｂ，１６Ｂ，１７Ｂと、景品排出口１８ａ，１８ｂと、景品受取口１９ａ，１９ｂと、操作部２０とを備えている。
【００７８】
ここで、本考案の実施例３である景品獲得装置１Ｂが備える構成のうち、景品収納部１０と、景品誘導レール１１と、発進開始部１２，１３と、発進開始部駆動機構１４と、景品排出口１８ａ，１８ｂと、景品受取口１９ａ，１９ｂと、操作部２０とについては、本考案の実施例１である景品獲得装置１が備えるそれぞれ同一符号が付された構成と同一であるので、説明を省略する。
【００７９】
図８は、本考案の実施例３である景品獲得装置１Ｂに備えられた発進部１５Ｂの射視図である。なお、発進部１５Ｂ，１６Ｂ，１７Ｂに備える貫通板に設けられた貫通穴の大きさは、それぞれ異なるが、発進部１６Ｂ，１７Ｂは、貫通穴の大きさ以外は、発進部１５Ｂの構成と同一であるので、説明を省略する。
【００８０】
図８に示すように、景品収納部１０の底面に固定された側面板１５ｃの上部に貫通板１５ａが配置されており、この貫通板１５ａは、中央部に円形の貫通穴１５ｂを有している。
【００８１】
また、景品誘導レール１１ａの上流側端部には、模擬車両の形状を有する景品Ｄが、その後輪が景品誘導レール１１ａの上流側端部からはみ出すように配置されており、これにより、景品Ｄは、景品誘導レール１１ａ上で停止状態を保っている。
【００８２】
そして、平板形状を有する回転板１５ｊが、一方の端部が貫通板１５ａの下部に位置するように支持軸１５ｅに支持されており、回転板１５ｊは、この支持軸１５ｅを回転軸としてＲ方向に回転する。
【００８３】
これにより、景品誘導レール１１ａからはみ出した景品Ｄの下部に配置されている回転板１５ｊの他方の端部が、Ｓ方向に押し上げられる。
そして、回転板１５ｊの他方の端部がＳ方向に押し上げられることにより、景品Ｄは、前輪により景品誘導レール１１ａ上を前進して、後輪が景品誘導レール１１ａ上に乗り上げた後、Ｔ方向に向かって景品誘導レール１１ａ上を走行する。
【００８４】
そして、景品Ｄは、景品誘導レール１１ａの他方の端部まで景品収納部１０内を湾曲しながら景品排出口１８ｂへ向かって走行した後、景品排出口１８ｂへ落とされ、この景品排出口１８ｂに連通された景品受取口１９ｂから払い出される。
【００８５】
以上のように、本考案の実施例３である景品獲得装置１Ｂによれば、景品Ｄが模擬車両の形状を有するので、景品獲得、即ち景品Ｄは走行し始めた時点から景品が景品排出口１８ｂへ落とされるまでの間、景品Ｄは、湾曲した景品誘導レール１１を走行するので、本考案の実施例１である景品獲得装置１により奏する効果に加え、利用者は、景品獲得までのゲームに加え、模擬車両である景品Ｄの走行を鑑賞する楽しみを得ることができるので、景品を取得することができるというより大きい期待感を得ることができる。
【実施例４】
【００８６】
本考案の実施例１では、貫通棒が貫通穴を貫通した場合に、回転板が回転することにより、景品を発進させる発進部を備える構成としたが、これに限らず、貫通棒が貫通穴を貫通されたことを検出した場合に、景品を発進させる発進部を備える構成としてもよい。
【００８７】
本考案の実施例４では、貫通棒が貫通穴を貫通されたことを検出した場合に、景品Ａを発進させる発進部を備えた景品獲得装置１Ｃを例に挙げて説明する。
【００８８】
本考案の実施例４である景品獲得装置１Ｃは、景品収納部１０と、景品誘導レール１１と、発進開始部１２，１３と、発進開始部駆動機構１４と、３つの発進部１５Ｃ，１６Ｃ，１７Ｃと、景品排出口１８ａ，１８ｂと、景品受取口１９ａ，１９ｂと、操作部２０とを備えている。
【００８９】
ここで、本考案の実施例４である景品獲得装置１Ｃが備える構成のうち、景品収納部１０と、景品誘導レール１１と、発進開始部１２，１３と、発進開始部駆動機構１４と、景品排出口１８ａ，１８ｂと、景品受取口１９ａ，１９ｂと、操作部２０とについては、本考案の実施例１である景品獲得装置１が備えるそれぞれ同一符号が付された構成と同一であるので、説明を省略する。
【００９０】
図９は、本考案の実施例４である景品獲得装置１Ｃの発進開始部１３と、発進部１５Ｃと、景品誘導レール１１とを模式的に説明した図である。なお、発進部１６Ｃ，１７Ｃは、発進部１５Ｃと同一の構成を有するので、説明を省略する。
【００９１】
発進部１５Ｃは、貫通穴１５ｂを有する貫通板１５ａと、検出部１５ｋと、発進止め部１５ｎと、発進制御部１５ｍとを備えている。
【００９２】
検出部１５ｋは、例えば、発光素子と受光素子とを備える透過型センサであり、貫通１５ａ板の下部に配置される。検出部１５ｋは、受光素子の受光状態に基づいて、貫通棒１３ｂが貫通穴１５ｂを貫通したことを検出する。
【００９３】
発進止め部１５ｎは、景品誘導レール１１ａにおける景品Ｄの下流側、即ち景品誘導レール１１ａの上流端から所定距離離れた位置であって、景品誘導レール１１ａの下部に備えられる。発進止め部１５ｎは、停止棒１５ｐを有しており、景品誘導レール１１ａ上に設けられた穴から、停止棒１５ｐを景品誘導レール１１ａの上部へ突き出し、又は景品誘導レール１１ａの下部へ引き込むように駆動する。
【００９４】
発進制御部１５ｍは、後述する発進部１５Ｃに備えられた検出部１５ｋにより貫通棒が貫通穴を貫通されたことを検出された場合に、発進止め部１５ｎの停止棒１５ｐを景品誘導レール１１ａの下部へ引き込むように制御する。
【００９５】
次に、図９を参照して、本考案の実施例４である景品獲得装置１Ｃの作用について説明する。
【００９６】
利用者は、操作部２０の操作釦を操作することにより獲得しようとする景品Ｄに対して発進開始部駆動機構１４を動作させて、発進開始部１３が目標とする景品Ｄに対応する発進部１５の真上に到着したと思われるとき操作釦の操作を停止させる。
【００９７】
その後、発進開始部１３は自動的に降下する。このとき、上面方向から見たときに、この発進開始部１３の本体部１３ａに固定された貫通棒１３ｂが、発進部１５の貫通板１５ａに設けられた貫通穴１５ｂの真上で停止していた場合には、貫通棒１３ｂは貫通穴１５ｂを貫通する。一方、貫通棒１３ｂが貫通穴１５ｂから外れた位置で停止していた場合には、貫通棒１３ｂは貫通穴１５ｂを貫通することなく、貫通板１５ａに接触し、発進開始部１３は自動的に上昇する。
【００９８】
貫通棒１３ｂが貫通穴１５ｂを貫通すると、検出部１５ｋは、受光手段の受光状態に基づいて、貫通棒１３ｂが貫通穴１５ｂを貫通したことを検出する。
【００９９】
次に、発進制御部１５ｍは、検出部１５ｋにより貫通棒１３ｂが貫通穴１５ｂを貫通したことを検出された場合に、発進止め部１５ｎの停止棒１５ｐを景品誘導レール１１ａの下部へ引き込むように制御する。
【０１００】
これにより、景品Ｄは、傾斜した景品誘導レール１１ａ上をＴ方向に向かって走行し始める。
【０１０１】
そして、景品Ｄは、景品誘導レール１１ａの他方の端部まで景品誘導レール１１ａ上を走行した後、景品排出口１８ｂへ落とされ、景品排出口１８ｂに落とされた景品は、この景品排出口１８ｂに連通された景品受取口１９ｂから払い出される。
【０１０２】
以上のように、本考案の実施例４である景品獲得装置１Ｃによれば、検出部１５ｋにより貫通棒１３ｂが貫通穴１５ｂを貫通したことを検出された場合に、発進止め部１５ｎの停止棒１５ｐを景品誘導レール１１ａの下部へ引き込むように制御するので、本考案の実施例１である景品獲得装置１により奏する効果に加え、景品Ｄは模擬車両の形状に限らず、様々な形状を有するものであっても、景品誘導レール１１ａ上に停止した状態で配置することができるという効果を奏する。
【実施例５】
【０１０３】
本考案の実施例４では、貫通棒が貫通穴を貫通されたことを検出した場合に、景品を発進させる発進部を備えた景品獲得装置１Ｃを例に挙げて説明したが、さらに、景品誘導レール１１上を走行する景品を検出する景品検出部を備え、景品が検出された場合に、音声を発生させたり、ランプを発光させたり、又は景品誘導レール１１上に配置された景品走行ゲートを開閉するようにしてもよい。
【０１０４】
本考案の実施例５では、本考案の実施例４である景品獲得装置１Ｃの構成に加え、景品誘導レール１１上を走行する景品を検出する景品検出部と、景品が検出された場合に、音声を発生させたり、ランプを発光させたり、又は景品誘導レール１１上に配置された景品走行ゲートを開閉させる制御部とを備える景品獲得装置１Ｄを例に挙げて説明する。
【０１０５】
図１０は、本考案の実施例５である景品獲得装置１Ｄを構成する景品誘導レール１１部分の構成を示した平面図である。なお、図１０では、説明のため、発進開始部１２，１３等は省略してある。
【０１０６】
図１０に示すように、景品獲得装置１Ｄは、本考案の実施例４である景品獲得装置１Ｃと同様に、３つの発進部１５Ｃ，１６Ｃ，１７Ｃと、この３つの発進部１５Ｃ，１６Ｃ，１７Ｃから景品排出口１８ａ，１８ｂのいずれか一方まで、景品収納部１０内を湾曲しながら景品Ｄ，Ｅ，Ｆそれぞれを誘導する景品誘導レール１１とが景品収納部１０内に配置されている。
【０１０７】
そして、景品誘導レール１１には、景品誘導レール１１上を走行する景品Ｄ，Ｅ，Ｆをそれぞれ検出する３つの景品検出部２２，２３，２４が配置されている。具体的には、景品誘導レール１１ａ上を走行する景品Ｄを検出する景品検出部２２と、景品誘導レール１１ｂ上を走行する景品Ｅを検出する景品検出部２３と、景品誘導レール１１ｃ上を走行する景品Ｆをそれぞれ検出する景品検出部２４とが配置されている。
【０１０８】
景品検出部２２，２３，２４は、例えば、発光素子と受光素子とを備える透過型センサであり、受光素子の受光状態に基づいて、景品誘導レール１１上をそれぞれ景品Ｄ，Ｅ，Ｆが通過したことを検出する。
【０１０９】
また、景品誘導レール１１には、景品誘導レール１１上を走行する景品Ｄ，Ｅ，Ｆを通過させる、又は景品Ｄ，Ｅ，Ｆの走行を妨げるために開閉する３つの景品走行ゲート２５，２６，２７とが配置されている。具体的には、景品誘導レール１１ａ上を走行する景品Ｄを通過させる、又は景品Ｄの走行を妨げるために開閉する景品走行ゲート２５と、景品誘導レール１１ｂ上を走行する景品Ｅを通過させる、又は景品Ｅの走行を妨げるために開閉する景品走行ゲート２６と、景品誘導レール１１ｃ上を走行する景品Ｆを通過させる、又は景品Ｆの走行を妨げるために開閉する景品走行ゲート２７とが配置されている。
【０１１０】
さらに、景品獲得装置１Ｄは、所定の音声を発生する音声出力部２８ａ，２８ｂと、発光するランプ２９とを備えている。
【０１１１】
そして、これら景品走行ゲート２５，２６，２７、音声出力部２８ａ，２８ｂと、発光するランプ２９とを制御する制御部３０が、景品収納部１０の下部に配置されている。
【０１１２】
図１１は、本考案の実施例５である景品獲得装置１Ｄの構成図を示した図である。
【０１１３】
図１１に示すように、本考案の実施例５である景品獲得装置１Ｄは、発進部１５Ｃ，１６Ｃ，１７Ｃと、景品検出部２２，２３，２４と、景品走行ゲート２５，２６，２７と、音声出力部２８ａ，２８ｂと、ランプ２９と、制御部３０とを備えている。
【０１１４】
発進部１５Ｃ，１６Ｃ，１７Ｃは、それぞれ発進制御部１５ｍ，１６ｍ，１７ｍを備えており、それぞれ検出部１５ｋ，１６ｋ，１７ｋにより検出された検出信号を制御部３０に供給する。
【０１１５】
制御部３０は、その機能上、音声出力制御手段３０ａと、発光制御手段３０ｂと、ゲート制御手段３０ｃとを備えている。
【０１１６】
音声出力制御手段３０ａは、３つの景品検出部２２，２３，２４によりそれぞれ景品Ｄ，Ｅ，Ｆが検出された場合に、音声出力部２８ａ，２８ｂに所定の音声を発生させる。
【０１１７】
発光制御手段３０ｂは、３つの景品検出部２２，２３，２４によりそれぞれ景品Ｄ，Ｅ，Ｆが検出された場合に、ランプ２９を点灯させる。
【０１１８】
ゲート制御手段３０ｃは、３つの景品走行ゲート２５，２６，２７のうち、景品を検出した景品検出部２２，２３，２４のいずれかに対応する景品走行ゲート２５，２６，２７を開させる。例えば、景品検出部２２が景品Ｄを検出した場合、景品走行ゲート２５を開させ、景品Ｄが景品走行ゲート２５を通過するのに十分な時間経過後、景品走行ゲート２５を閉させる。
【０１１９】
なお、ゲート制御手段３０ｃは、発進部１６Ｃ，１６Ｃ，１７Ｃのうち、いずれか１つが有する検出部１５ｋ，１６ｋ，１７ｋにより貫通棒１２ｂ，１３ｂが貫通穴１５ｂ，１６ｂ，１７ｂを貫通したことが検出された場合に、発進部１６Ｃ，１６Ｃ，１７Ｃの全てに景品Ｄ，Ｅ，Ｆを発進させると共に、発進部１６Ｃ，１６Ｃ，１７Ｃのうち、貫通棒が貫通穴を貫通したことを検出した検出部を有する発進部に対応する景品走行ゲートを開させるようにしてもよい。
【０１２０】
例えば、発進部１５Ｃの検出部１５ｋが、貫通棒１３ｂが貫通穴１５ｂを貫通したことを検出すると、発進部１５Ｃの発進制御部１５ｍが、この検出信号を制御部３０へ送信する。そして、制御部３０のゲート制御手段３０ｃは、発進部１６Ｃ，１７Ｃに景品を発進させる。具体的には、発進部１６Ｃ，１７Ｃの発進制御部１６ｍ、１７ｍに、発進止め部１６ｎ，１７ｎの停止棒１６ｐ，１７ｐを景品誘導レール１１ｂ，１１ｃの下部へ引き込むための制御信号を送信する。これにより、発進部１５Ｃ，１６Ｃ，１７Ｃは、景品Ｄ，Ｅ，Ｆをそれぞれ発進させる。
【０１２１】
次に、ゲート制御手段３０ｃは、貫通棒１３ｂが貫通穴１５ｂを貫通したことを検出した検出部１５ｋを有する発進部１５に対応する景品走行ゲート２５を開させる。これにより、利用者の操作によって発進した景品のみが景品走行ゲートを通過して、景品排出口に落下することとなる。
【０１２２】
さらに、ゲート制御手段３０ｃは、発進部１６Ｃ，１６Ｃ，１７Ｃのうち、いずれか１つが有する検出部１５ｋ，１６ｋ，１７ｋにより貫通棒１２ｂ，１３ｂが貫通穴１５ｂ，１６ｂ，１７ｂを貫通したことが検出された場合に、景品検出部２２，２３，２４のうち、貫通棒が貫通穴を貫通したことを検出した検出部を有する発進部に対応する景品検出部が最も早く景品を検出した場合に、この景品検出部に対応する景品走行ゲートを開させるようにしてもよい。
【０１２３】
例えば、発進部１５Ｃの検出部１５ｋが、貫通棒１３ｂが貫通穴１５ｂを貫通したことを検出すると、発進部１５Ｃの発進制御部１５ｍが、この検出信号を制御部３０へ送信する。そして、制御部３０のゲート制御手段３０ｃは、発進部１６Ｃ，１７Ｃに景品を発進させる。具体的には、発進部１６Ｃ，１７Ｃの発進制御部１６ｍ、１７ｍに、発進止め部１６ｎ，１７ｎの停止棒１６ｐ，１７ｐを景品誘導レール１１ｂ，１１ｃの下部へ引き込むための制御信号を送信する。これにより、発進部１５Ｃ，１６Ｃ，１７Ｃは、景品Ｄ，Ｅ，Ｆをそれぞれ発進させる。
【０１２４】
次に、ゲート制御手段３０ｃは、貫通棒１３ｂが貫通穴１５ｂを貫通したことを検出した検出部１５ｋを有する発進部１５に対応する景品検出部２２が、景品検出部２３及び景品検出部２４よりも早く景品Ｄを検出した場合に、この景品検出部２２に対応する景品走行ゲート２５を開閉させる。これにより、利用者の操作によって発進した景品が最も早く景品検出部を通過した場合に、この景品が開された景品走行ゲートを通過して、景品排出口に落下することとなる。
【０１２５】
以上のように、本考案の実施例５である景品獲得装置１Ｄによれば、景品誘導レール１１上を走行する景品を検出した場合に、音声を発生させたり、ランプを発光させたり、又は景品走行ゲートを開閉するようにしたので、本考案の実施例１である景品獲得装置１により奏する効果に加え、利用者は、景品獲得までのゲームに加え、より景品の走行を鑑賞する楽しみを得ることができるので、景品を取得することができるというより大きい期待感を得ることができる。
【図面の簡単な説明】
【０１２６】
【図１】本考案の実施例１である景品獲得装置の斜視図である。
【図２】本考案の実施例１である景品獲得装置を構成する景品誘導レール部分の構成を示した平面図である。
【図３】本考案の実施例１である景品獲得装置に備えられた発進開始部を下方から見た射視図である。
【図４】本考案の実施例１である景品獲得装置に備えられた発進部の射視図である。
【図５】本考案の実施例１である景品獲得装置の作用について模式的に説明した図である。
【図６】本考案の実施例２である景品獲得装置に備えられた発進開始部の射視図である。
【図７】本考案の実施例２である景品獲得装置に備えられた発進部の射視図である。
【図８】本考案の実施例３である景品獲得装置に備えられた発進部の射視図である。
【図９】本考案の実施例４である景品獲得装置の発進開始部と、発進部と、景品誘導レールとを模式的に説明した図である。
【図１０】本考案の実施例５である景品獲得装置を構成する景品誘導レール部分の構成を示した平面図である。
【図１１】本考案の実施例５である景品獲得装置の構成図を示した図である。
【符号の説明】
【０１２７】
１，１Ａ，１Ｂ，１Ｃ，１Ｄ…景品獲得装置
１０…景品収納部
１１…景品誘導レール
１２，１２Ａ，１３，１３Ａ…発進開始部
１４…発進開始部駆動機構
１５，１５Ａ，１５Ｂ，１５Ｃ，１６，１６Ａ，１６Ｂ，１６Ｃ，１７，１７Ａ，１７Ｂ，１７Ｃ…発進部
１８ａ，１８ｂ…景品排出口
１９ａ，１９ｂ…景品受取口
２０，２０Ａ…操作部
２２，２３，２４…景品検出部
２５，２６，２７…景品走行ゲート
２８ａ，２８ｂ…音声出力部
２９…ランプ（発光手段）
３０…制御部
３０ａ…音声出力制御手段
３０ｂ…発光制御手段
３０ｃ…ゲート制御手段
【図１】
0003146169.tif 000003
【図２】
0003146169.tif 000004
【図３】
0003146169.tif 000005
【図４】
0003146169.tif 000006
【図５】
0003146169.tif 000007
【図６】
0003146169.tif 000008
【図７】
0003146169.tif 000009
【図８】
0003146169.tif 000010
【図９】
0003146169.tif 000011
【図１０】
0003146169.tif 000012
【図１１】
0003146169.tif 000013